(57)【要約】      （修正有）【課題】マルチモード端末における複数の無線通信システムに対するアップリンク共存問題を解決して、マルチモード端末の他の無線通信システムに関するパフォーマンスおよび効率を改善する。【解決手段】第２のラジオ・アクセス技術（ＲＡＴ）の通信を可能にするために、第１のＲＡＴの時間リソース又は周波数リソースを拒否する１１０１。第１のＲＡＴ及び第２のＲＡＴのうちの１つにおける接続セットアップを容易にするために、第１のＲＡＴの拒否されたリソースに関する情報がレポートする１１０２。【選択図】図１１
2015216662.tif 000002
【特許請求の範囲】
【請求項１】
無線通信の方法であって、
第２のラジオ・アクセス技術（ＲＡＴ）の通信を可能にするために、第１のＲＡＴの複数の時間リソースまたは周波数リソースを拒否することと、
前記第１のＲＡＴおよび前記第２のＲＡＴのうちの１つにおける接続セットアップを容易にするために、前記拒否に関する情報をレポートすることと、
を備える方法。
【請求項２】
前記情報は、前記第２のＲＡＴとの共存による拒否率と、前記第２のＲＡＴとの共存による、各ダウンリンク送信番号に関するダウンリンク・アクノレッジメント（ＡＣＫ）を伝送するアップリンク制御チャネルの拒否率と、前記第１のＲＡＴの通信チャンネルによる、各ダウンリンク送信番号に関するダウンリンク割当のパケット誤り率とのうちの少なくとも１つを備える、請求項１に記載の方法。
【請求項３】
前記情報は、前記第２のＲＡＴとの共存によるアップリンク・データ・チャネルの拒否率と、前記第２のＲＡＴとの共存による、各アップリンク送信番号に関するアップリンク・データ・チャネルの拒否率と、前記第１のＲＡＴの通信チャンネルによる、アップリンク割当のパケット誤り率とのうちの少なくとも１つを備える、請求項１に記載の方法。
【請求項４】
すべてのＰＨＩＣＨ（物理ＨＡＲＱ（ハイブリッド自動反復要求）インジケータ・チャネル）拒否に基づいて、パケット誤り率を計算すること、をさらに備える請求項１に記載の方法。
【請求項５】
実際にＮＡＣＫ（否定的なアクノレッジメント）を伝送しているＰＨＩＣＨ（物理ＨＡＲＱ（ハイブリッド自動反復要求）インジケータ・チャネル）のパーセンテージに対応するＰＨＩＣＨのフラクションに基づいて、パケット誤り率を計算すること、をさらに備える請求項１に記載の方法。
【請求項６】
拒否される通信の数は、拒否しきい値以下である請求項１に記載の方法。
【請求項７】
前記拒否しきい値を基地局から受信すること、をさらに備える請求項６に記載の方法。
【請求項８】
無線通信のための装置であって、
メモリと、
前記メモリに接続された少なくとも１つのプロセッサとを備え、
前記少なくとも１つのプロセッサは、
第２のラジオ・アクセス技術（ＲＡＴ）の通信を可能にするために、第１のＲＡＴの複数の時間リソースまたは周波数リソースを拒否し、
前記第１のＲＡＴおよび前記第２のＲＡＴのうちの１つにおける接続セットアップを容易にするために、前記拒否に関する情報をレポートする
ように構成された、装置。
【請求項９】
前記情報は、前記第２のＲＡＴとの共存による拒否率と、前記第２のＲＡＴとの共存による、各ダウンリンク送信番号に関するダウンリンク・アクノレッジメント（ＡＣＫ）を伝送するアップリンク制御チャネルの拒否率と、前記第１のＲＡＴの通信チャンネルによる、各ダウンリンク送信番号に関するダウンリンク割当のパケット誤り率とのうちの少なくとも１つを備える、請求項８に記載の装置。
【請求項１０】
前記情報は、前記第２のＲＡＴとの共存によるアップリンク・データ・チャネルの拒否率と、前記第２のＲＡＴとの共存による、各アップリンク送信番号に関するアップリンク・データ・チャネルの拒否率と、前記第１のＲＡＴの通信チャンネルによる、アップリンク割当のパケット誤り率とのうちの少なくとも１つを備える、請求項８に記載の装置。
【請求項１１】
前記プロセッサはさらに、すべてのＰＨＩＣＨ（物理ＨＡＲＱ（ハイブリッド自動反復要求）インジケータ・チャネル）拒否に基づいて、パケット誤り率を計算するように構成された、請求項８に記載の装置。
【請求項１２】
前記プロセッサはさらに、実際にＮＡＣＫ（否定的なアクノレッジメント）を伝送しているＰＨＩＣＨ（物理ＨＡＲＱ（ハイブリッド自動反復要求）インジケータ・チャネル）のパーセンテージに対応するＰＨＩＣＨのフラクションに基づいて、パケット誤り率を計算するように構成された、請求項８に記載の装置。
【請求項１３】
拒否される通信の数は、拒否しきい値以下である、請求項８に記載の装置。
【請求項１４】
前記プロセッサはさらに、前記拒否しきい値を基地局から受信するように構成された、請求項１３に記載の装置。
【請求項１５】
無線通信のための装置であって、
第２のラジオ・アクセス技術（ＲＡＴ）の通信を可能にするために、第１のＲＡＴの複数の時間リソースまたは周波数リソースを拒否する手段と、
前記第１のＲＡＴおよび前記第２のＲＡＴのうちの１つにおける接続セットアップを容易にするために、前記拒否に関する情報をレポートする手段と、
を備える装置。
【請求項１６】
前記情報は、前記第２のＲＡＴとの共存による拒否率と、前記第２のＲＡＴとの共存による、各ダウンリンク送信番号に関するダウンリンク・アクノレッジメント（ＡＣＫ）を伝送するアップリンク制御チャネルの拒否率と、前記第１のＲＡＴの通信チャンネルによる、各ダウンリンク送信番号に関するダウンリンク割当のパケット誤り率とのうちの少なくとも１つを備える、請求項１５に記載の装置。
【請求項１７】
前記情報は、前記第２のＲＡＴとの共存によるアップリンク・データ・チャネルの拒否率と、前記第２のＲＡＴとの共存による、各アップリンク送信番号に関するアップリンク・データ・チャネルの拒否率と、前記第１のＲＡＴの通信チャンネルによる、アップリンク割当のパケット誤り率とのうちの少なくとも１つを備える、請求項１５に記載の装置。
【請求項１８】
無線ネットワークにおける無線通信のためのコンピュータ・プログラム製品であって、
記録された非一時的なプログラム・コードを有するコンピュータ読取可能な媒体を備え、前記プログラム・コードは、
第２のラジオ・アクセス技術（ＲＡＴ）の通信を可能にするために、第１のＲＡＴの複数の時間リソースまたは周波数リソースを拒否するためのプログラム・コードと、
前記第１のＲＡＴおよび前記第２のＲＡＴのうちの１つにおける接続セットアップを容易にするために、前記拒否に関する情報をレポートするためのプログラム・コードと
を備える、コンピュータ・プログラム製品。
【請求項１９】
前記情報は、前記第２のＲＡＴとの共存による拒否率と、前記第２のＲＡＴとの共存による、各ダウンリンク送信番号に関するダウンリンク・アクノレッジメント（ＡＣＫ）を伝送するアップリンク制御チャネルの拒否率と、前記第１のＲＡＴの通信チャンネルによる、各ダウンリンク送信番号に関するダウンリンク割当のパケット誤り率とのうちの少なくとも１つを備える、請求項１８に記載のコンピュータ・プログラム製品。
【請求項２０】
前記情報は、前記第２のＲＡＴとの共存によるアップリンク・データ・チャネルの拒否率と、前記第２のＲＡＴとの共存による、各アップリンク送信番号に関するアップリンク・データ・チャネルの拒否率と、前記第１のＲＡＴの通信チャンネルによる、アップリンク割当のパケット誤り率とのうちの少なくとも１つを備える、請求項１８に記載のコンピュータ・プログラム製品。
【発明の詳細な説明】
【関連出願に対する相互参照】
【０００１】
本願は、２０１１年１月２５日にＳＡＤＥＫらの名前で出願された米国仮特許出願６１／４３６，１５８号の利益を主張する。この開示は、全体が参照によって本明細書に明確に組み込まれている。
【技術分野】
【０００２】
本記載は、一般に、マルチ・ラジオ技術に関し、さらに詳しくは、マルチ・ラジオ・デバイスのための共存技術に関する。
【背景技術】
【０００３】
無線通信システムは、例えば、音声、データ等のようなさまざまなタイプの通信コンテンツを提供するために広く開発されてきた。これらのシステムは、（例えば、帯域幅および送信電力等のような）利用可能なシステム・リソースを共有することにより、複数のユーザとの通信をサポートすることが可能な多元接続システムでありうる。このような多元接続システムの例は、符号分割多元接続（ＣＤＭＡ）システム、時分割多元接続（ＴＤＭＡ）システム、周波数分割多元接続（ＦＤＭＡ）システム、３ＧＰＰロング・ターム・イボリューション（ＬＴＥ）システム、および直交周波数分割多元接続（ＯＦＤＭＡ）システム等を含む。
【０００４】
通常、無線多元接続通信システムは、複数の無線端末のための通信を同時にサポートしうる。端末はおのおのの、順方向リンクおよび逆方向リンクによる送信を介して、１または複数の基地局と通信する。順方向リンク（すなわちダウンリンク）は、基地局から端末への通信リンクを称し、逆方向リンク（すなわちアップリンク）は、端末から基地局への通信リンクを称する。この通信リンクは、単一入力単一出力、複数入力単一出力、あるいは、複数入力複数出力（ＭＩＭＯ）システムによって確立されうる。
【０００５】
いくつかの従来の高度なデバイスは、異なるラジオ・アクセス技術を用いて送信／受信するために、複数のラジオを含んでいる。ＲＡＴの例は、例えば、ユニバーサル・モバイル・テレコミュニケーション・システム（ＵＭＴＳ）、グローバル移動体通信システム（ＧＳＭ（登録商標））、ｃｄｍａ２０００、ＷｉＭＡＸ（登録商標）、ＷＬＡＮ（例えば、ＷｉＦｉ（登録商標））、ブルートゥース（登録商標）、ＬＴＥ等を含む。
【０００６】
モバイル・デバイスの例は、例えば、第４世代（４Ｇ）携帯電話のようなＬＴＥユーザ機器（ＵＥ）を含んでいる。このような４Ｇ電話は、ユーザにさまざまな機能を提供するために、さまざまなラジオを含みうる。この例の目的のために、４Ｇ電話は、音声およびデータのためのＬＴＥラジオ、ＩＥＥＥ  ８０２．１１（ＷｉＦｉ）ラジオ、全地球測位システム（ＧＰＳ）ラジオ、およびブルートゥース・ラジオを含んでいる。ここでは、前述したもののうちの２つ、あるいは４つすべてが同時に動作しうる。異なるラジオは、電話のために有用な機能を提供するが、これらを単一のデバイスに含めると、共存問題が生じる。具体的には、１つのラジオの動作は、ある場合において、放射メカニズム、伝導メカニズム、リソース衝突メカニズム、および／または、その他の干渉メカニズムによって、別のラジオの動作と干渉しうる。共存問題はこのような干渉を含んでいる。
【０００７】
これは特に、産業、科学、および医療（ＩＳＭ：Industrial Scientific and Medical）帯域に隣接しており、干渉を引き起こしうるＬＴＥアップリンク・チャネルについて現実である。ブルートゥース・チャネルおよびいくつかの無線ＬＡＮ（ＷＬＡＮ）チャネルが、ＩＳＭ帯域内にあることが注目される。いくつかの事例では、いくつかのブルートゥース・チャネル条件のために、帯域７あるいは帯域４０におけるいくつかのチャネルにおいてでさえも、ＬＴＥがアクティブである場合、ブルートゥース誤り率は、許容できなくなりうる。たとえＬＴＥに顕著な性能低下がなくても、ブルートゥースとの同時動作の結果、ブルートゥース・ハンドセットにおいて終端する音声サービスが途絶するという結果になりうる。このような途絶は、カスタマに許容不可でありうる。ＬＴＥ送信がＧＰＳと干渉する場合、同様の問題が存在する。現在、ＬＴＥは自らは性能低下を経験しないので、この問題を解決しうるメカニズムは存在しない。
【０００８】
特にＬＴＥを参照すると、ＵＥは、ダウンリンクでＵＥによって観察される干渉をイボルブド・ノードＢ（ｅＮＢ；例えば、無線通信ネットワークのための基地局）に通知するために、ｅＮＢと通信することが注目される。さらに、ｅＮＢは、ダウンリンク誤り率を用いて、ＵＥにおける干渉を推定できうる。いくつかの事例では、ｅＮＢおよびＵＥは、ＵＥにおける干渉を、ＵＥ自身内のラジオによる干渉でさえも低減させる解決策を見つけるように協調しうる。しかしながら、従来のＬＴＥでは、ダウンリンクに関する干渉推定値は、干渉に対して包括的に対処するには適切ではないことがありうる。
【０００９】
１つの事例では、ＬＴＥアップリンク信号は、ブルートゥース信号またはＷＬＡＮ信号と干渉する。しかしながら、このような干渉は、ｅＮＢにおけるダウンリンク測定レポートに反映されない。その結果、ＵＥの一部における一方向的な動作（例えば、アップリンク信号を別のチャネルへ移動させること）は、アップリンク共存問題を認識しておらず、この一方向的な動作を取り消すことを求めるｅＮＢによって妨害されうる。例えば、ＵＥが、異なる周波数チャネルで接続を再確立した場合であっても、ネットワークは、未だに、デバイス内干渉によって破壊されたオリジナルの周波数チャネルへ戻すようにＵＥをハンドオーバしうる。これは、よくあるシナリオである。なぜなら、破壊されたチャネルにおける所望の信号強度はしばしば、ｅＮＢへの基準信号受信電力（ＲＳＲＰ）に基づいて、新たなチャネルの測定レポートに反映されるものよりも高くなりうるからである。したがって、ｅＮＢがハンドオーバ決定を行うためにＲＳＲＰレポートを使用する場合、破壊されたチャネルと所望のチャネルとの間を行き来するピンポン効果が生じうる。
【００１０】
例えば、ｅＮＢの調整無しでアップリンク通信を単純に停止させるような、ＵＥの一部における他の一方向的な動作は、ｅＮＢにおける電力ループ誤動作をもたらしうる。従来のＬＴＥに存在するさらなる問題は、共存問題を有する構成に対する代替案として、所望の構成を提案するためのＵＥの一部における一般的な能力不足を含んでいる。少なくともこれらの理由で、ＵＥにおけるアップリンク共存問題は、ＵＥの他のラジオに関するパフォーマンスおよび効率に関して、長期間未解決のままでありうる。
【発明の概要】
【００１１】
１つの態様では、無線通信の方法が開示される。この方法は、第２のラジオ・アクセス技術（ＲＡＴ）の通信を可能にするために、第１のＲＡＴの時間リソースまたは周波数リソースを拒否することを含む。第１のＲＡＴまたは第２のＲＡＴにおける接続セットアップを容易にするために、拒否に関する情報がレポートされる。
【００１２】
別の態様は、メモリと、メモリに接続された少なくとも１つのプロセッサとを有する無線通信を開示する。プロセッサ（単数または複数）は、第２のラジオ・アクセス技術（ＲＡＴ）の通信を可能にするために、第１のＲＡＴの時間リソースまたは周波数リソースを拒否するように構成される。プロセッサ（単数または複数）はまた、第１のＲＡＴまたは第２のＲＡＴにおける接続セットアップを容易にするために、拒否に関する情報をレポートするように構成される。
【００１３】
別の態様では、装置が開示される。この装置は、第２のラジオ・アクセス技術（ＲＡＴ）の通信を可能にするために、第１のＲＡＴの時間リソースまたは周波数リソースを拒否する手段を含む。この装置はまた、第１のＲＡＴまたは第２のＲＡＴにおける接続セットアップを容易にするために、拒否に関する情報をレポートする手段を含む。
【００１４】
別の態様は、コンピュータ読取可能な媒体を有する、無線ネットワークにおける無線通信のためのコンピュータ・プログラム製品を開示する。コンピュータ読取可能な媒体は、プロセッサ（単数または複数）によって実行された場合に、プロセッサ（単数または複数）に対して、第２のラジオ・アクセス技術（ＲＡＴ）の通信を可能にするために、第１のＲＡＴの時間リソースまたは周波数リソースを拒否する動作を実行させる。このプログラム・コードはさらに、プロセッサ（単数または複数）に対して、第１のＲＡＴまたは第２のＲＡＴにおける接続セットアップを容易にするために、拒否に関する情報をレポートさせる。
【００１５】
本開示のさらなる特徴および利点が以下に記載されるだろう。本開示は、本開示のものと同じ目的を実行するために、修正したり、その他の構成を設計するための基礎として容易に利用されうることが当業者によって理解されるべきである。このような等価な構成は、特許請求の範囲に記載された開示の教示から逸脱しないこともまた当業者によって理解されるべきである。さらなる目的および利点とともに、動作の方法と構成との両方に関し、本開示の特徴であると信じられている新規の特徴が、添付図面と関連して考慮された場合に、以下の記載から良好に理解されるであろう。しかしながら、図面のおのおのは、例示および説明のみの目的のために提供されており、本開示の限界の定義として意図されていないことが明確に理解されるべきである。
【図面の簡単な説明】
【００１６】
本開示の特徴、特性、および利点は、同一の参照符号が全体を通じて同一物に特定している図面とともに考慮された場合、以下に記載する詳細な記載からより明らかになるだろう。
【図１】図１は、１つの態様にしたがう多元接続無線通信システムを例示する。
【図２】図２は、１つの態様にしたがう通信システムのブロック図である。
【図３】図３は、ダウンリンク・ロング・ターム・イボリューション（ＬＴＥ）通信における典型的なフレーム構造を例示する。
【図４】図４は、アップリンク・ロング・ターム・イボリューション（ＬＴＥ）通信における典型的なフレーム構造を概念的に例示するブロック図である。
【図５】図５は、典型的な無線通信環境を例示する。
【図６】図６は、マルチ・ラジオ無線デバイスの設計の例のブロック図である。
【図７】図７は、所与の決定期間における７つの例のラジオ間のそれぞれの潜在的な衝突を示すグラフである。
【図８】図８は、時間に対する共存マネジャ（ＣｘＭ）の動作の例を示す図である。
【図９】図９は、隣接した周波数帯域を例示するブロック図である。
【図１０】図１０は、本開示の１つの態様にしたがう、マルチ・ラジオ共存管理のための無線通信環境内のサポートを提供するためのシステムのブロック図である。
【図１１】図１１は、本開示の１つの態様にしたがうフィードバック・メッセージングを例示するブロック図である。
【図１２】図１２は、フィードバック・メッセージングを適用する装置のためのハードウェア実装の例を例示する図解である。
【発明を実施するための形態】
【００１７】
本開示のさまざまな態様は、マルチ・ラジオ・デバイスにおける共存問題を緩和するための技術を提供する。ここでは、例えばＬＴＥ帯域と、（例えば、ＢＴ／ＷＬＡＮ用の）産業、科学、および医療（ＩＳＭ）帯域との間で、顕著なデバイス内共存問題が存在しうる。前述したように、ｅＮＢは、他のラジオによって受けるＵＥ側における干渉に気付かないので、いくつかの共存問題が存在する。１つの態様によれば、ＵＥは、現在のチャネルに共存問題がある場合、ラジオ・リンク障害（ＲＬＦ）を宣言し、新たなチャネルまたはラジオ・アクセス技術（ＲＡＴ）へ自律的にアクセスする。ＵＥは、以下の理由で、いくつかの例においてＲＬＦを宣言しうる。１）ＵＥ受信が、共存による干渉によって影響される。２）ＵＥ送信機が、別のラジオへの破壊的な干渉を引き起こしている。その後、ＵＥは、新たなチャネルまたはＲＡＴにおける接続を再確立している間、共存問題を示すメッセージをｅＮＢへ送信する。ｅＮＢは、このメッセージを受信することにより、共存問題に気付くようになる。
【００１８】
本明細書に記載された技術は、例えば符号分割多元接続（ＣＤＭＡ）ネットワーク、時分割多元接続（ＴＤＭＡ）ネットワーク、周波数分割多元接続（ＦＤＭＡ）ネットワーク、直交周波数分割多元接続（ＯＦＤＭＡ）ネットワーク、シングル・キャリアＦＤＭＡ（ＳＣ−ＦＤＭＡ）ネットワーク等のようなさまざまな無線通信ネットワークのために使用されうる。「ネットワーク」および「システム」という用語は、しばしば置換可能に使用される。ＣＤＭＡネットワークは、例えば、ユニバーサル地上ラジオ・アクセス（ＵＴＲＡ）、ｃｄｍａ２０００等のようなラジオ技術を実現しうる。ＵＴＲＡは、広帯域ＣＤＭＡ（Ｗ−ＣＤＭＡ（登録商標））および低チップ・レート（ＬＣＲ）を含む。ｃｄｍａ２０００は、ＩＳ−２０００規格、ＩＳ−９５規格、およびＩＳ−８５６規格をカバーする。ＴＤＭＡネットワークは、例えばグローバル移動体通信システム（ＧＳＭ）のようなラジオ技術を実施しうる。ＯＦＤＭＡネットワークは、例えばイボルブドＵＴＲＡ（Ｅ−ＵＴＲＡ）、ＩＥＥＥ  ８０２．１１、ＩＥＥＥ  ８０２．１６、ＩＥＥＥ  ８０２．２０、フラッシュ−ＯＦＤＭ等のようなラジオ技術を実施しうる。ＵＴＲＡ、Ｅ−ＵＴＲＡ、およびＧＳＭは、ユニバーサル・モバイル・テレコミュニケーション・システム（ＵＭＴＳ）の一部である。ロング・ターム・イボリューション（ＬＴＥ）は、Ｅ−ＵＴＲＡを使用するＵＭＴＳの最新のリリースである。ＵＴＲＡ、Ｅ−ＵＴＲＡ、ＧＳＭ、ＵＭＴＳ、およびＬＴＥは、「第３世代パートナシップ計画」（３ＧＰＰ）と命名された団体からの文書に記載されている。ＣＤＭＡ２０００は、「第３世代パートナシップ計画２」（３ＧＰＰ２）と命名された団体からの文書に記載されている。これらさまざまなラジオ技術および規格は、当該技術分野において知られている。明確化のために、これら技術のある態様は、以下において、ＬＴＥについて記載されており、ＬＴＥ用語が以下の説明の一部で使用される。
【００１９】
シングル・キャリア変調および周波数領域等値化を利用するシングル・キャリア周波数分割多元接続（ＳＣ−ＦＤＭＡ）は、本明細書で記載されるさまざまな態様とともに利用されうる技術である。ＳＣ−ＦＤＭＡは、ＯＦＤＭＡシステムと類似の性能を有し、本質的に全体的に同等の複雑さを有する。ＳＣ−ＦＤＭＡ信号は、固有のシングル・キャリア構造により、低いピーク対平均電力比（ＰＡＰＲ）を有する。ＳＣ−ＦＤＭＡは、送信電力効率の観点において、低いＰＡＰＲがモバイル端末に大いに有益となるアップリンク通信において、特に大きな注目を集めている。これは、現在、３ＧＰＰロング・ターム・イボリューション（ＬＴＥ）またはイボルブドＵＴＲＡにおけるアップリンク多元接続スキームのための動作前提である。
【００２０】
図１を参照して、１つの態様にしたがう多元接続無線通信システムが例示される。イボルブド・ノードＢ１００（ｅＮＢ）は、リソースおよびパラメータを割り当てること、ユーザ機器からの要求を許可／拒否すること等によって、ＬＴＥ通信を管理するための処理リソースおよびメモリ・リソースを有するコンピュータ１１５を含む。ｅＮＢ１００はまた、複数のアンテナ・グループを含んでおり、１つのグループは、アンテナ１０４およびアンテナ１０６を含み、別のグループは、アンテナ１０８およびアンテナ１１０を含み、さらに別のグループは、アンテナ１１２およびアンテナ１１４を含む。図１では、おのおののアンテナ・グループについて２本のアンテナしか示されていない。しかしながら、おのおののアンテナ・グループについて、それより多くのまたはそれより少ないアンテナが利用されうる。（アクセス端末（ＡＴ）とも称される）ユーザ機器（ＵＥ）１１６は、アンテナ１１２，１１４と通信している一方、アンテナ１１２，１１４は、アップリンク（ＵＬ）１８８によってＵＥ１１６へ情報を送信する。ＵＥ１２２は、アンテナ１０６，１０８と通信し、アンテナ１０６，１０８は、ダウンリンク（ＤＬ）１２６によってＵＥ１２２に情報を送信し、アップリンク１２４によってＵＥ１２２から情報を受信する。周波数分割デュプレクス（ＦＤＤ）システムでは、通信リンク１１８、１２０、１２４および１２６は、通信のために異なる周波数を使用しうる。例えば、ダウンリンク１２０は、アップリンク１１８によって使用されるものとは異なる周波数を使用しうる。
【００２１】
通信するように設計されたエリアおよび／またはアンテナのおのおののグループは、しばしば、ｅＮＢのセクタと称される。この態様では、それぞれのアンテナ・グループは、ｅＮＢ１００によってカバーされるエリアのセクタ内のＵＥと通信するように設計される。
【００２２】
ダウンリンク１２０，１２６による通信では、ｅＮＢ１００の送信アンテナは、他のＵＥ１１６，１２２のアップリンクの信号対ノイズ比を改善するためにビームフォーミングを利用する。さらに、有効通信範囲にわたってランダムに散在するＵＥへ送信するためにビームフォーミングを利用するｅＮＢは、すべてのＵＥに対して単一のアンテナで送信しているＵＥよりも、近隣セル内のＵＥに対して少ない干渉しかもたらさない。
【００２３】
ｅＮＢは、端末と通信するために使用される固定局であり、アクセス・ポイント、基地局、あるいはその他幾つかの専門用語でも称されうる。ＵＥはまた、アクセス端末、無線通信デバイス、端末、あるいはその他いくつかの同等の専門用語で称されうる。
【００２４】
図２は、ＭＩＭＯシステム２００における送信機システム２１０（ｅＮＢとしても知られている）および受信機システム２５０（ＵＥとしても知られている）の態様のブロック図である。いくつかの事例では、ＵＥとｅＮＢとの両方がおのおの、送信機システムおよび受信機システムを含んでいるトランシーバを有する。送信機システム２１０では、多くのデータ・ストリームのトラフィック・データが、データ・ソース２１２から送信（ＴＸ）データ・プロセッサ２１４に提供される。
【００２５】
ＭＩＭＯシステムはデータ送信のために、複数（ＮＴ個）の送信アンテナと複数（ＮＲ個）の受信アンテナとを適用する。ＮＴ個の送信アンテナおよびＮＲ個の受信アンテナによって形成されるＭＩＭＯチャネルは、空間チャネルとも称されるＮＳ個の独立チャネルへ分割されうる。ここで、ＮＳ≦｛ＮＴ，ＮＲ｝である。ＮＳ個の独立チャネルのおのおのは、ディメンションに相当する。複数の送信アンテナおよび受信アンテナによって生成される追加のディメンションが利用される場合、ＭＩＭＯシステムは、（例えば、より高いスループット、および／または、より高い信頼性のような）向上されたパフォーマンスを与えうる。
【００２６】
ＭＩＭＯシステムは、時分割多重（ＴＤＤ）システム、および周波数分割多重（ＦＤＤ）システムをサポートする。ＴＤＤシステムでは、相互原理によって、アップリンク・チャネルからダウンリンク・チャネルを推定できるように、アップリンク送信およびダウンリンク送信が、同じ周波数領域にある。これによって、ｅＮＢにおいて複数のアンテナが利用可能である場合、ｅＮＢは、ダウンリンクで送信ビーム・フォーミング・ゲインを抽出できるようになる。
【００２７】
態様では、データ・ストリームはおのおのの、それぞれの送信アンテナを介して送信される。ＴＸデータ・プロセッサ２１４は、符号化されたデータを提供するために、データ・ストリームについて選択された特定の符号化スキームに基づいて、各データ・ストリームのためのトラフィック・データをフォーマットし、符号化し、インタリーブする。
【００２８】
おのおののデータ・ストリームの符号化されたデータは、ＯＦＤＭ技術を用いてパイロット・データと多重化されうる。パイロット・データは一般に、既知の手法で処理される既知のデータ・パターンであり、チャネル応答を推定するために受信機システムにおいて使用されうる。おのおののデータ・ストリームについて多重化されたパイロットおよび符号化されたデータは、データ・ストリームのために選択された特定の変調スキーム（例えば、ＢＰＳＫ、ＱＰＳＫ、Ｍ−ＰＳＫ、あるいはＭ−ＱＡＭ等）に基づいて変調（例えば、シンボル・マップ）され、変調シンボルが提供される。おのおののデータ・ストリームのデータ・レート、符号化、および変調は、メモリ２３２とともに動作するプロセッサ２３０によって実行される指示によって決定されうる。
【００２９】
それぞれのデータ・ストリームの変調シンボルは、その後、（例えば、ＯＦＤＭのために）変調シンボルをさらに処理しうるＴＸ  ＭＩＭＯプロセッサ２２０に提供される。ＴＸ  ＭＩＭＯプロセッサ２２０はその後、ＮＴ個の変調シンボル・ストリームを、ＮＴ個の送信機（ＴＭＴＲ）２２２ａ乃至２２２ｔへ提供する。ある態様では、ＴＸ  ＭＩＭＯプロセッサ２２０は、データ・ストリームのシンボル、および、このシンボルが送信されるアンテナへ、ビームフォーミング重みを適用する。
【００３０】
おのおのの送信機２２２は、１または複数のアナログ信号を提供するために、それぞれのシンボル・ストリームを受信して処理し、さらには、ＭＩＭＯチャネルを介した送信に適切な変調信号を提供するために、このアナログ信号を調整（例えば、増幅、フィルタ、およびアップコンバート）する。送信機２２２ａ乃至２２２ｔからのＮＴ個の変調信号は、その後、ＮＴ個のアンテナ２２４ａ乃至２２４ｔからそれぞれ送信される。
【００３１】
受信機システム２５０では、送信された変調信号がＮＲ個のアンテナ２５２ａ乃至２５２ｒによって受信され、おのおののアンテナ２５２からの受信信号が、それぞれの受信機（ＲＣＶＲ）２５４ａ乃至２５４ｒへ提供される。おのおのの受信機２５４は、受信したそれぞれの信号を調整（例えば、フィルタ、増幅、およびダウンコンバート）し、この調整された信号をデジタル化してサンプルを提供し、さらにこのサンプルを処理して、対応する「受信された」シンボル・ストリームを提供する。
【００３２】
ＲＸデータ・プロセッサ２６０は、ＮＲ個の受信機２５４からＮＲ個のシンボル・ストリームを受信し、受信されたこれらシンボル・ストリームを、特定の受信機処理技術に基づいて処理して、ＮＲ個の「検出された」シンボル・ストリームを提供する。ＲＸデータ・プロセッサ２６０は、その後、検出されたおのおののシンボル・ストリームを復調し、デインタリーブし、復号して、このデータ・ストリームのためのトラフィック・データを復元する。ＲＸデータ・プロセッサ２６０による処理は、基地局２１０におけるＴＸ  ＭＩＭＯプロセッサ２２０およびＴＸデータ・プロセッサ２１４によって実行されるものと相補的である。
【００３３】
（メモリ２７２とともに動作する）プロセッサ２７０は、どのプリコーディング行列を使用するのかを定期的に決定する（後述する）。プロセッサ２７０は、行列インデクス部およびランク値部を有するアップリンク・メッセージを規定する。
【００３４】
アップリンク・メッセージは、通信リンクおよび／または受信されたデータ・ストリームに関するさまざまなタイプの情報を含みうる。アップリンク・メッセージはその後、多くのデータ・ストリームのトラフィック・データをデータ・ソース２３６から受け取るＴＸデータ・プロセッサ２３８によって処理され、変調器２８０によって変調され、送信機２５４ａ乃至２５４ｒによって調整され、基地局２１０へ送り戻される。
【００３５】
送信機システム２１０では、受信機システム２５０からの変調された信号が、アンテナ２２４によって受信され、受信機２２２によって調整され、復調器２４０によって復調され、ＲＸデータ・プロセッサ２４２によって処理されて、受信機システム２５０によって送信されたアップリンク・メッセージが抽出される。さらに、プロセッサ２３０は、ビームフォーミング重みを決定するためにどのプリコーディング行列を使用するかを決定し、その後、この抽出されたメッセージを処理する。
【００３６】
図３は、ダウンリンク・ロング・ターム・イボリューション（ＬＴＥ）通信における典型的なフレーム構造を概念的に例示するブロック図である。ダウンリンクの送信タイムラインは、ラジオ・フレームの単位に分割されうる。おのおののラジオ・フレームは、（例えば１０ミリ秒（ｍｓ）のような）予め定められた持続時間を有し、０乃至９のインデクスを付された１０個のサブフレームへ分割されうる。おのおののサブフレームは、２つのスロットを含みうる。したがって、おのおののラジオ・フレームは、０乃至１９のインデクスを付された２０のスロットを含みうる。おのおののスロットは、Ｌ個のシンボル期間、（例えば、図３に示すような）通常のサイクリック・プレフィクスの場合、例えば、７つのシンボル期間を含み、拡張されたサイクリック・プレフィクスの場合、６つのシンボル期間を含みうる。おのおののサブフレームでは、２Ｌ個のシンボル期間が、０乃至２Ｌ−１のインデクスを割り当てられうる。利用可能な時間周波数リソースが、リソース・ブロックへ分割されうる。おのおののリソース・ブロックは、１つのスロットにおいてＮ個のサブキャリア（例えば、１２のサブキャリア）をカバーしうる。
【００３７】
ＬＴＥでは、ｅＮＢは、ｅＮＢにおける各セルについて、一次同期信号（ＰＳＳ）と二次同期信号（ＳＳＳ）とを送信しうる。図３に示すように、ＰＳＳおよびＳＳＳは、通常のサイクリック・プレフィクスを持つ各ラジオ・フレームのサブフレーム０およびサブフレーム５のおのおのにおいて、シンボル期間６およびシンボル期間５でそれぞれ送信されうる。これら同期信号は、セル検出および獲得のためにＵＥによって使用されうる。ｅＮＢはまた、サブフレーム０のスロット１におけるシンボル期間０乃至３で、物理ブロードキャスト・チャネル（ＰＢＣＨ）を送信しうる。ＰＢＣＨは、あるシステム情報を伝送しうる。
【００３８】
ｅＮＢは、ｅＮＢにおけるおのおののセルのために、セル特有基準信号（ＣＲＳ）を送信しうる。ＣＲＳは、通常のサイクリック・プレフィクスの場合には、各スロットのシンボル０，１，４で送信され、拡張されたサイクリック・プレフィクスの場合には、各スロットのシンボル０，１，３で送信されうる。ＣＲＳは、物理チャネルのコヒーレントな復調、タイミングおよび周波数のトラッキング、ラジオ・リンク・モニタリング（ＲＬＭ）、基準信号受信電力（ＲＳＲＰ）および基準信号受信品質（ＲＳＲＱ）測定等のためにＵＥによって使用されうる。
【００３９】
図３で見られるように、ｅＮＢは、各サブフレームの最初のシンボル期間で、物理制御フォーマット・インジケータ・チャネル（ＰＣＦＩＣＨ）を送信しうる。ＰＣＦＩＣＨは、制御チャネルのために使用されるシンボル期間の数（Ｍ）を伝えうる。ここで、Ｍは、１，２または３に等しく、サブフレーム毎に変化しうる。Ｍはまた、例えば、１０未満のリソース・ブロックのように、小さなシステム帯域幅に対して４に等しくなりうる。図３に示す例では、Ｍ＝３である。ｅＮＢは、おのおののサブフレームの最初のＭ個のシンボル期間において、物理ＨＡＲＱインジケータ・チャネル（ＰＨＩＣＨ）と物理ダウンリンク制御チャネル（ＰＤＣＣＨ）とを送信しうる。ＰＤＣＣＨとＰＨＩＣＨもまた、図３に示す例における最初の３つのシンボル期間に含まれる。ＰＨＩＣＨは、ハイブリッド自動反復要求（ＨＡＲＱ）をサポートするための情報を伝送しうる。ＰＤＣＣＨは、ＵＥのためのリソース割当に関する情報と、ダウンリンク・チャネルのための制御情報とを伝送しうる。ｅＮＢはまた、おのおののサブフレームの残りのシンボル期間で、物理ダウンリンク共有チャネル（ＰＤＳＣＨ）を送信しうる。ＰＤＳＣＨは、ダウンリンクで、データ送信のためにスケジュールされたＵＥのためのデータを伝送しうる。ＬＴＥにおけるさまざまな信号およびチャネルは、公的に利用可能な「イボルブド・ユニバーサル地上ラジオ・アクセス（Ｅ−ＵＴＲＡ）；物理チャネルおよび変調」（Evolved Universal Terrestrial Radio Access (E-UTRA); Physical Channels and Modulation）と題された３ＧＰＰ  ＴＳ  ３６．２１１に記載されている。
【００４０】
ｅＮＢは、ｅＮＢによって使用されるシステム帯域幅の中央の１．０８ＭＨｚでＰＳＳ、ＳＳＳ、およびＰＢＣＨを送信しうる。ｅＮＢは、これらのチャネルが送信される各シンボル期間におけるシステム帯域幅全体でＰＣＦＩＣＨおよびＰＨＩＣＨを送信しうる。ｅＮＢは、システム帯域幅のある部分において、ＵＥのグループにＰＤＣＣＨを送信しうる。ｅＮＢは、システム帯域幅の特定の部分で、特定のＵＥに、ＰＤＳＣＨを送信しうる。ｅＮＢは、すべてのＵＥへブロードキャスト方式でＰＳＳ、ＳＳＳ、ＰＢＣＨ、ＰＣＦＩＣＨ、およびＰＨＩＣＨを送信し、ＰＤＣＣＨを、ユニキャスト方式で、特定のＵＥへ送信しうる。さらに、特定のＵＥへユニキャスト方式でＰＤＳＣＨをも送信しうる。
【００４１】
各シンボル期間において、多くのリソース要素が利用可能でありうる。おのおののリソース要素は、１つのシンボル期間において１つのサブキャリアをカバーしうる。そして、実数値または複素数値である１つの変調シンボルを送信するために使用されうる。おのおののシンボル期間において、基準信号のために使用されないリソース要素は、リソース要素グループ（ＲＥＧ）へ構成されうる。おのおののＲＥＧは、１つのシンボル期間内に、４つのリソース要素を含みうる。ＰＣＦＩＣＨは、シンボル期間０内に４つのＲＥＧを占有しうる。これらは、周波数にわたってほぼ均等に配置されうる。ＰＨＩＣＨは、１または複数の設定可能なシンボル期間内に３つのＲＥＧを占有しうる。これらは、周波数にわたって分散されうる。例えば、ＰＨＩＣＨのための３つのＲＥＧはすべて、シンボル期間０に属しうる。あるいは、シンボル期間０，１，２に分散されうる。ＰＤＣＣＨは、最初のＭ個のシンボル期間内に、９，１８，３２，または６４のＲＥＧを占有しうる。これらは、利用可能なＲＥＧから選択されうる。複数のＲＥＧからなるある組み合わせのみが、ＰＤＣＣＨのために許容されうる。
【００４２】
ＵＥは、ＰＨＩＣＨとＰＣＦＩＣＨとのために使用された特定のＲＥＧを認識しうる。ＵＥは、ＰＤＣＣＨを求めて、ＲＥＧの異なる組み合わせを探索しうる。探索する組み合わせの数は、一般に、ＰＤＣＣＨのために許可された組み合わせの数よりも少ない。ｅＮＢは、ＵＥが探索する組み合わせのうちの何れかのＵＥにＰＤＣＣＨを送信しうる。
【００４３】
図４は、アップリンク・ロング・ターム・イボリューション（ＬＴＥ）通信における典型的なフレーム構造を概念的に例示するブロック図である。アップリンクのために利用可能なリソース・ブロック（ＲＢ）は、データ・セクションおよび制御セクションに区分されうる。制御セクションは、システム帯域幅の２つの端部において形成され、設定可能なサイズを有しうる。制御セクションにおけるリソース・ブロックは、制御情報の送信のために、ＵＥへ割り当てられうる。データ・セクションは、制御セクションに含まれていないすべてのリソース・ブロックを含みうる。図４における設計の結果、データ・セクションは、連続するサブキャリアを含むようになる。これによって、単一のＵＥに、データ・セクション内に、連続するサブキャリアのすべてが割り当てられるようになる。
【００４４】
ＵＥは、ｅＮＢへ制御情報を送信するために、制御セクションにおいてリソース・ブロックを割り当てられうる。ＵＥはまた、ｅＮＢへデータを送信するために、データ・セクションにおいてリソース・ブロックを割り当てられうる。ＵＥは、制御セクションにおいて割り当てられたリソース・ブロックで、物理アップリンク制御チャネル（ＰＵＣＣＨ）で制御情報を送信しうる。ＵＥは、データ・セクションにおいて割り当てられたリソース・ブロックで、物理アップリンク共有チャネル（ＰＵＳＣＨ）で、データのみ、または、データと制御情報との両方を送信しうる。アップリンク送信は、サブフレームからなる両スロットに及び、図４に示すように、周波数を越えてホップしうる。
【００４５】
ＬＴＥにおけるＰＳＳ、ＳＳＳ、ＣＲＳ、ＰＢＣＨ、ＰＵＣＣＨ、およびＰＵＳＣＨは、公的に利用可能な「イボルブド・ユニバーサル地上ラジオ・アクセス（Ｅ−ＵＴＲＡ）；物理チャネルおよび変調」（Evolved Universal Terrestrial Radio Access (E-UTRA); Physical Channels and Modulation）と題された３ＧＰＰ  ＴＳ  ３６．２１１に記載されている。
【００４６】
態様では、マルチ・ラジオ共存解決を容易にするために、例えば３ＧＰＰ  ＬＴＥ環境のような無線通信環境内でのサポートを提供するためのシステムおよび方法が記載されている。
【００４７】
図５に示すように、本明細書に記載されたさまざまな態様が機能しうる無線通信環境５００の例が例示される。無線通信環境５００は、複数の通信システムと通信することが可能でありうる無線デバイス５１０を含みうる。これらのシステムは、例えば、１または複数のセルラ・システム５２０および／または５３０、１または複数のＷＬＡＮシステム５４０および／または５５０、１または複数の無線パーソナル・エリア・ネットワーク（ＷＰＡＮ）システム５６０、１または複数のブロードキャスト・システム５７０、１または複数の衛星測位システム５８０、図５に図示されていないその他のシステム、または、これらの任意の組み合わせを含みうる。以下の記載では、「ネットワーク」、「システム」という用語がしばしば置換可能に使用されうることが認識されるべきである。
【００４８】
セルラ・システム５２０，５３０はおのおの、ＣＤＭＡ、ＴＤＭＡ、ＦＤＭＡ、ＯＦＤＭＡ、シングル・キャリアＦＤＭＡ（ＳＣ−ＦＤＭＡ）、あるいはその他の適切なシステムでありうる。ＣＤＭＡシステムは、例えばユニバーサル地上ラジオ・アクセス（ＵＴＲＡ）やｃｄｍａ２０００等のようなラジオ技術を実現することができる。ＵＴＲＡは、広帯域ＣＤＭＡ（ＷＣＤＭＡ（登録商標））、およびＣＤＭＡのその他の変形を含んでいる。さらに、ｃｄｍａ２０００は、ＩＳ−２０００（ＣＤＭＡ２０００  １Ｘ）規格、ＩＳ−９５規格、およびＩＳ−８５６（ＨＲＰＤ）規格をカバーする。ＴＤＭＡシステムは、例えばグローバル移動体通信システム（ＧＳＭ）、デジタル・アドバンスト移動電話システム（Ｄ−ＡＭＰＳ）等のようなラジオ技術を実現しうる。ＯＦＤＭＡシステムは、例えばイボルブドＵＴＲＡ（Ｅ−ＵＴＲＡ）、ウルトラ・モバイル・ブロードバンド（ＵＭＢ）、ＩＥＥＥ  ８０２．１６（ＷｉＭＡＸ）、ＩＥＥＥ  ８０２．２０、フラッシュ−ＯＦＤＭ（登録商標）等のような無線技術を実現しうる。ＵＴＲＡおよびＥ−ＵＴＲＡは、ユニバーサル・モバイル・テレコミュニケーション・システム（ＵＭＴＳ）の一部である。３ＧＰＰロング・ターム・イボリューション（ＬＴＥ）およびＬＴＥ−アドバンスト（ＬＴＥ−Ａ）は、Ｅ−ＵＴＲＡを使用するＵＭＴＳの新たなリリースである。ＵＴＲＡ、Ｅ−ＵＴＲＡ、ＵＭＴＳ、ＬＴＥ、ＬＴＥ−Ａ、およびＧＳＭは、「第３世代パートナシップ計画」（３ＧＰＰ）と命名された団体からの文書に記載されている。ｃｄｍａ２０００およびＵＭＢは、「第３世代パートナシップ計画２」（３ＧＰＰ２）と命名された団体からの文書に記載されている。態様では、セルラ・システム５２０は、有効通信範囲内の無線デバイスのための双方向通信をサポートしうる多くの基地局５２２を含みうる。同様に、セルラ・システム５３０は、有効通信範囲内の無線デバイスのための双方向通信をサポートしうる多くの基地局５３２を含みうる。
【００４９】
ＷＬＡＮシステム５４０，５５０はそれぞれ、例えばＩＥＥＥ  ８０２．１１（ＷｉＦｉ）、Ｈｉｐｅｒｌａｎ等のようなラジオ技術を実施しうる。ＷＬＡＮシステム５４０は、双方向通信をサポートしうる１または複数のアクセス・ポイント５４２を含みうる。同様に、ＷＬＡＮシステム５５０は、双方向通信をサポートしうる１または複数のアクセス・ポイント５５２を含みうる。ＷＰＡＮシステム５６０は、例えばブルートゥース（ＢＴ）、ＩＥＥＥ  ８０２．１５等を実施しうる。さらに、ＷＰＡＮシステム５６０は、例えば、無線デバイス５１０、ヘッドセット５６２、コンピュータ５６４、マウス５６６等のようなさまざまなデバイスのための双方向通信をサポートしうる。
【００５０】
ブロードキャスト・システム５７０は、テレビ（ＴＶ）ブロードキャスト・システム、周波数変調（ＦＭ）ブロードキャスト・システム、デジタル・ブロードキャスト・システム等でありうる。デジタル・ブロードキャスト・システムは、例えば、ＭｅｄｉａＦＬＯ（登録商標）、デジタル・ビデオ・ブロードキャスト・フォー・ハンドヘルド（ＤＶＢ−Ｈ）、インテグレーティド・サービス・デジタル・ブロードキャスティング・フォー地上テレビジョン・ブロードキャスティング（ＩＤＳＢ−Ｔ）等のようなラジオ技術を実施しうる。さらに、ブロードキャスト・システム５４０は、一方向通信をサポートしうる１または複数のブロードキャスト局５７２を含みうる。
【００５１】
衛星測位システム５８０は、米国全地球測位システム（ＧＰＳ）、欧州ガリレオ・システム、ロシア・グロナス・システム、日本上の準天頂衛星システム、インド上のインド領域ナビゲーション衛星システム（ＩＲＮＳＳ）、中国上の北斗衛星航法システム、および／または、その他任意の適切なシステムでありうる。さらに、衛星測位システム５８０は、位置決定のための信号を送信する多くの衛星５８２を含みうる。
【００５２】
態様では、無線デバイス５１０は、据置式または移動式であり、ユーザ機器（ＵＥ）、移動局、移動機器、端末、アクセス端末、加入者ユニット、局等と称されうる。無線デバイス５１０は、セルラ電話、携帯情報端末（ＰＤＡ）、無線モデム、ハンドヘルド・デバイス、ラップトップ・コンピュータ、コードレス電話、無線ローカル・ループ（ＷＬＬ）局等でありうる。さらに、無線デバイス５１０は、セルラ・システム５２０および／またはセルラ・システム５３０、ＷＬＡＮシステム５４０および／またはＷＬＡＮシステム５５０、ＷＰＡＮシステム５６０を備えたデバイス、および／または、その他任意の適切なシステム（単数または複数）および／またはデバイス（単数または複数）との双方向通信を行いうる。無線デバイス５１０は、さらに、あるいは、その代わりに、ブロードキャスト・システム５７０および／または衛星位置決めシステム５８０から信号を受信しうる。一般に、無線デバイス５１０は、所与の瞬間において、任意の数のシステムと通信しうることが認識されるべきである。さらに、無線デバイス５１０は、同時に動作しうる構成要素ラジオ・デバイスのうちのさまざまなデバイス間の共存問題を経験しうる。したがって、デバイス５１０は、以下に詳述するように、共存問題を検出および緩和するための機能モジュールを有する共存マネジャ（図示しないＣｘＭ）を含む。
【００５３】
次に図６に移って、マルチ・ラジオ無線デバイス６００のための設計の例を例示し、図５のラジオ５１０の実施として使用されうるブロック図が提供される。図６が例示するように、無線デバイス６００は、Ｎ個のラジオ６２０ａ乃至６２０ｎを含みうる。これらは、Ｎ個のアンテナ６１０ａ乃至６１０ｎに接続されうる。ここで、Ｎは、任意の整数値でありうる。しかしながら、それぞれのラジオ６２０は、任意の数のアンテナ６１０に接続され、複数のラジオ６２０が、所与のアンテナ６１０を共有しうることも認識されるべきである。
【００５４】
一般に、ラジオ６２０は、電磁スペクトルにおいてエネルギを放射または放出し、電磁スペクトルにおけるエネルギを受信し、あるいは、伝導手段によって伝搬するエネルギを生成するユニットでありうる。例によれば、ラジオ６２０は、システムまたはデバイスに信号を送信するユニットでありうるか、または、システムまたはデバイスから信号を受信するユニットでありうる。したがって、ラジオ６２０は、無線通信をサポートするために利用されうることが認識されうる。別の例では、ラジオ６２０はまた、他のラジオのパフォーマンスにインパクトを与えうるノイズを放出するユニット（例えば、コンピュータ上のスクリーン、回路基板等）でもありうる。したがって、ラジオ６２０はまた、無線通信をサポートすることなくノイズおよび干渉を放出するユニットでもありうることがさらに認識されうる。
【００５５】
態様では、それぞれのラジオ６２０は、１または複数のシステムとの通信をサポートしうる。複数のラジオ６２０は、さらに、または、その代わりに、例えば、異なる周波数帯域（例えば、セルラ帯域およびＰＣＳ帯域）で送信または受信するために、所与のシステムのために使用されうる。
【００５６】
別の態様では、デジタル・プロセッサ６３０は、ラジオ６２０ａ乃至６２０ｎに接続されうる。そして、例えば、ラジオ６２０を介して送信されるデータ、または、受信されたデータを処理するためのさまざまな機能を実行しうる。各ラジオ６２０の処理は、そのラジオによってサポートされるラジオ技術に依存しうる。そして、送信機のための暗号化、符号化、変調等、受信機のための復調、復号、解読等、およびその他を含みうる。一例では、本明細書において一般に記載されるように、デジタル・プロセッサ６３０は、無線デバイス６００のパフォーマンスを向上させるために、ラジオ６２０の動作を制御しうる共存マネジャ（ＣｘＭ）６４０を含みうる。ＣｘＭマネジャ６４０は、ラジオ６２０の動作を制御するために使用される情報を格納しうるデータベース６４４へのアクセスを有しうる。以下にさらに説明するように、ＣｘＭ６４０は、ラジオ間の干渉を低減させるためのさまざまな技術のために適応されうる。一例において、ＣｘＭ６４０は、ＬＴＥが非アクティブである期間中にＩＳＭラジオが通信できるようにするＤＲＸサイクルまたは測定ギャップ・パターンを要求する。
【００５７】
単純化のために、デジタル・プロセッサ６３０は、単一のプロセッサとして図６に示されている。しかしながら、デジタル・プロセッサ６３０が、任意の数のプロセッサ、コントローラ、メモリ等を含みうることが認識されるべきである。一例において、コントローラ／プロセッサ６５０は、無線デバイス６００内のさまざまなユニットの動作を指示しうる。さらに、または、その代わりに、メモリ６５２は、無線デバイス６００のためのプログラム・コードおよびデータを格納しうる。デジタル・プロセッサ６３０、コントローラ／プロセッサ６５０、およびメモリ６５２は、１または複数の集積回路（ＩＣ）、特定用途向け集積回路（ＡＳＩＣ）等に実装されうる。具体的で、限定しない例によれば、デジタル・プロセッサ６３０は、移動局モデム（ＭＳＭ）ＡＳＩＣに実装されうる。
【００５８】
態様では、ＣｘＭ６４０は、干渉、および／または、それぞれのラジオ６２０間の衝突に関連付けられたその他のパフォーマンス低下を回避するために、無線デバイス６００によって利用されるそれぞれのラジオ６２０の動作を管理しうる。ＣｘＭ６４０は、例えば、図１１に例示されているような１または複数の処理を実行しうる。さらなる例示によれば、図７におけるグラフ７００は、所与の決定期間中の７つのラジオの例の間のそれぞれの潜在的な衝突を表す。グラフ７００に図示される例では、７つのラジオは、ＷＬＡＮ送信機（Ｔｗ）、ＬＴＥ送信機（Ｔｌ）、ＦＭ送信機（Ｔｆ）、ＧＳＭ／ＷＣＤＭＡ送信機（Ｔｃ／Ｔｗ）、ＬＴＥ受信機（Ｒｌ）、ブルートゥース受信機（Ｒｂ）、およびＧＰＳ受信機（Ｒｇ）を含む。４つの送信機は、グラフ７００の左側における４つのノードによって示される。３つの受信機は、グラフ７００の右側における３つのノードによって示される。
【００５９】
送信機と受信機との間の潜在的な衝突は、送信機のノードと受信機のノードとを接続する分岐によってグラフ７００上で表わされる。したがって、グラフ７００において図示される例において、衝突は、（１）ＷＬＡＮ送信機（Ｔｗ）とブルートゥース受信機（Ｒｂ）との間、（２）ＬＴＥ送信機（Ｔｌ）とブルートゥース受信機（Ｒｂ）との間、（３）ＷＬＡＮ送信機（Ｔｗ）とＬＴＥ受信機（Ｒｌ）との間、（４）ＦＭ送信機（Ｔｆ）とＧＰＳ受信機（Ｒｇ）との間、（５）ＧＳＭ／ＷＣＤＭＡ送信機（Ｔｃ／Ｔｗ）とＧＰＳ受信機（Ｒｇ）との間に存在しうる。
【００６０】
１つの態様では、ＣｘＭ６４０の例が、例えば図８における図解８００によって示されるような方式で時間的に動作しうる。図解８００が例示するように、ＣｘＭ動作のタイムラインが、決定ユニット（ＤＵ）に分割されうる。これは、通知が処理される場合に、任意の適切な一定または非一定の長さ（例えば、１００マイクロ秒）であり、コマンドがさまざまなラジオ６２０に提供されるか、および／または、その他の動作が評価フェーズにおいてなされる動作に基づいて実行される応答フェーズ（例えば、２０マイクロ秒）でありうる。一例では、図解８００に示されるタイムラインは、例えば、所与のＤＵにおける通知フェーズの終了直後の所与のラジオから通知が取得されるケースにおける応答のタイミングのようなタイムラインの最悪ケースの動作によって定義されたレイテンシ・パラメータを有しうる。
【００６１】
図９に示されるように、（周波数分割デュプレクス（ＦＤＤ）アップリンクのための）帯域７、（時分割デュプレクス（ＴＤＤ）通信のための）帯域４０、および（ＴＤＤダウンリンクのための）帯域３８におけるロング・ターム・イボリューション（ＬＴＥ）は、ブルートゥース（ＢＴ）技術および無線ローカル・エリア・ネットワーク（ＷＬＡＮ）技術によって使用される２．４ＧＨｚの産業、科学、および医療（ＩＳＭ）帯域に隣接している。これら帯域のための周波数計画は、隣接周波数における干渉を回避するために、従来のフィルタリング・ソリューションを可能にするガード帯域が制限されるか、存在しないようになっている。例えば、２０ＭＨｚのガード帯域は、ＩＳＭと帯域７との間に存在するが、ＩＳＭと帯域４０との間にはガード帯域は存在しない。
【００６２】
適切な規格に準拠させるために、特定の帯域で動作する通信デバイスは、指定された周波数範囲全体にわたって動作可能であるべきである。例えば、ＬＴＥに準拠するために、移動局／ユーザ機器は、第３世代パートナシップ計画（３ＧＰＰ）によって定義されるように、帯域４０（２３００−２４００ＭＨｚ）と帯域７（２５００−２５７０ＭＨｚ）との両方の全体で通信できなくてはならない。デバイスは、十分なガード帯域無しで、他の帯域とオーバラップするフィルタを適用する。これは、帯域干渉を引き起こす。帯域４０フィルタは、帯域全体をカバーするために、１００ＭＨｚ幅であるので、これらフィルタからのロールオーバは、ＩＳＭ帯域とクロスする。これは、干渉を引き起こす。同様に、ＩＳＭ帯域の全体（例えば、２４０１ＭＨｚからおよそ２４８０ＭＨｚ）を使用するＩＳＭデバイスは、近隣の帯域４０と帯域７にロールオーバするフィルタを適用するだろう。これは、干渉をもたらしうる。
【００６３】
デバイス内共存問題は、（例えば、ブルートゥース／ＷＡＮのための）例えばＬＴＥ帯域とＩＳＭ帯域とのリソース間のＵＥに関して存在しうる。現在のＬＴＥ実施では、ＬＴＥに対する干渉問題は、例えば、ＬＴＥを、共存問題が存在しないチャネルまたはＲＡＴへ移動させるように、周波数間またはＲＡＴ間ハンドオフ決定を行うために、ｅＮＢが使用しうるダウンリンク誤り率および／またはＵＥによってレポートされたダウンリンク測定値（例えば、基準信号受信品質（ＲＳＲＱ）メトリック等）において反映される。しかしながら、例えば、ＬＴＥアップリンクが、ブルートゥース／ＷＬＡＮに対する干渉を引き起こしているが、ＬＴＥダウンリンクが、ブルートゥース／ＷＬＡＮからの干渉を観察しないのであれば、これら既存の技術は、動作しないであろうことが認識されうる。さらに詳しくは、ＵＥがそれ自身をアップリンクで別のチャネルへ自律的に移動させる場合であっても、ｅＮＢは、いくつかの場合において、ＵＥを、負荷平準目的のために、問題のあるチャネルへハンドオーバにより戻しうる。何れの場合であれ、既存の技術は、問題のあるチャネルの帯域幅の使用を、最も効率的な方式で容易にする訳ではないことが認識されうる。
【００６４】
図１０に移って、マルチ・ラジオ共存管理のための、無線通信環境内のサポートを提供するためのシステム１０００のブロック図が例示されている。態様では、システム１０００は、アップリンク通信および／またはダウンリンク通信、および／または、互いに、および／または、システム１０００内のその他任意のエンティティと通信を行いうる、１または複数のＵＥ１０１０および／またはｅＮＢ１０４０を含みうる。一例では、ＵＥ１０１０および／またはｅＮＢ１０４０は、周波数チャネルおよびサブ帯域を含み、いくつかが他のラジオ・リソース（例えば、ＬＴＥモデムのようなブロードバンド・ラジオ）と潜在的に衝突しうるさまざまなリソースを用いて通信するように動作可能でありうる。したがって、本明細書において一般に記載されるように、ＵＥ１０１０は、ＵＥ１０１０によって利用される複数のラジオ間の共存を管理するためのさまざまな技術を利用しうる。
【００６５】
少なくとも前述した欠点を緩和するために、ＵＥ１０１０は、ＵＥ１０１０内のマルチ・ラジオ共存のためのサポートを容易にするために、本明細書に記載され、システム１０００によって例示されているそれぞれの機能を利用しうる。例えば、チャネル・モニタリング・モジュール１０１２、チャネル共存アナライザ・モジュール１０１４、および共存フィードバック・モジュール１０１６が提供されうる。チャネル・モニタリング・モジュール１０１２は、例えばユーザ機器のようなデバイスの、利用可能なラジオ・アクセス技術（ＲＡＴ）のチャネルをモニタする。チャネル共存アナライザ１０１４は、互いに干渉しうるＵＥにおいて利用可能なＲＡＴ間の潜在的な共存問題を分析する。共存フィードバック・モジュール１０１６は、例えば拒否されうる１または複数のＲＡＴの送信のような潜在的な共存問題のインパクトを、例えばｅＮＢのような基地局へレポート・バックしうる。したがって、拒否されたＲＡＴのパフォーマンスは悪影響を受ける。いくつかの例では、さまざまなモジュール１０１２−１０１６が、例えば図６のＣｘＭ６４０のような共存マネジャの一部として実施されうる。さまざまなモジュール１０１２−１０１６およびその他のモジュールが、本明細書に記載された実施態様を実施するように構成されうる。
【００６６】
（基地局においてレート・ループを管理するためにユーザ機器フィードバックを容易にすること）  
ＬＴＥ帯域７は、ＦＤＤ（周波数分割デュプレクス）システムであり、そのアップリンク周波数帯域とＩＳＭ帯域との間に２０ＭＨｚのガード帯域を有する。ＬＴＥは、帯域４０におけるＴＤＤ（時分割デュプレクス）システムであり、ＩＳＭ帯域に対するガード帯域がない。ＬＴＥと、１または複数のＩＳＭ  ＲＡＴとの間の共存問題を管理するために、共存マネジャおよび／またはＵＥは、ＬＴＥ送信を拒否しうる。共存管理によりこのように送信を否定することは、ＬＴＥレート制御ループに悪影響を与えうる。このような効果は、望ましくない。この望ましくないパフォーマンスを回避するために、ＵＥは、このような送信拒否が生じた場合には、基地局へ通信しうる。
【００６７】
ＬＴＥラジオとＩＳＭラジオとの共存を促進するための１つの例では、ＬＴＥアップリンク・フレームおよび／またはＬＴＥダウンリンク・フレームは、ＩＳＭラジオ受信および／または送信を可能にするために、自律的に拒否される。このような自律的な拒否は、この拒否が共存問題によるのか、またはチャネル問題によるのかを示さず、ｅＮＢにおけるレート・ループ不安定（ＲＬＩ：rate loop instability）をもたらしうる。一般に、ｅＮＢは、送信を拒否する理由を知らないのであれば、この送信は、チャネル劣化の結果として拒否されたと仮定しうる。チャネルが悪化しているとｅＮＢが仮定すると、割り当てられたレートが下げられ、スループット・ロスをもたらす。たとえチャネル条件が変動していなくても、割り当てられたレートは、ＵＥの側における自律的な拒否によって、さらに減少するだろう。この持続的なプロセスによって、ループは不安定になり、究極的には、コールが途絶する。
【００６８】
ループ不安定を回避するために、一例では、ＵＥは、特定の送信がなぜ拒否されたのかを説明する情報を、その他の可能な情報と同様に含む共存メッセージで、サイド情報をｅＮＢへフィードバックしうる。ｅＮＢは、レート・ループを調節するために、この情報を使用しうる。一例では、このメッセージのコンテンツは、チャネル条件による送信エラーと、共存問題による送信エラーとを区別するために、ｅＮＢに関する十分な情報を含んでいる。特に、送信が、共存問題によって拒否されると、ｅＮＢは、外部レート・ループにおけるしきい値を決定する場合に、このエラーを含めないことを知るだろう。チャネル条件によってパケットが受信されない場合、ｅＮＢは、外部レート・ループを決定する場合に、この情報を含めうる。
【００６９】
さらに、フィードバック・メッセージが定期的に送信され、必要に応じて（例えば、将来の共存問題を回避するために、）周波数が変更されうる。さらに、ダウンリンク・レート・ループおよび／またはアップリンク・レート・ループを制御するために、フィードバック・メッセージがｅＮＢへ送信されうる。
【００７０】
（ダウンリンク・レート・ループを制御するためのｅＮＢへのＵＥフィードバック）  
ＵＥは、ダウンリンク・レート・ループを制御する際に使用するために、共存メッセージで、さまざまな情報をｅＮＢへフィードバックしうる。フィードバック・コンテンツの例が以下のように記載される。
【００７１】
１つの例において、ＵＥは、（例えば、ＷＬＡＮまたはブルートゥースのような）ＩＳＭラジオによる送信によるＬＴＥダウンリンク拒否率を、ｅＮＢへのフィードバック・コンテンツに含めうる。
【００７２】
このフィードバックに含まれるその他の情報は、各ダウンリンク送信番号に関するアクノレッジメント（ＡＣＫ）を伝送するＰＵＣＣＨ（物理アップリンク制御チャネル）の拒否率でありうる。ダウンリンク・サブフレームが誤って復号され、かつ、対応するＮＡＣＫ（否定的アクノレッジメント）がＰＵＣＣＨで伝送されるのであれば、一例において、ＵＥは、拒否率においてこのＮＡＣＫをカウントしないだろう。なぜなら、ｅＮＢは、不連続送信（ＤＴＸ）をＮＡＣＫであると高い確率で解釈しうるからである。したがって、ダウンリンク割当に関するＡＣＫを伝送するＰＵＣＣＨの拒否率が、ｅＮＢへ提供されうる。
【００７３】
ＵＥはまた、各ダウンリンク送信番号のためのダウンリンク割当の、通信チャネルによるパケット誤り率を、フィードバック・メッセージに含めうる。パケット誤り率は、ＵＥ  ＲＡＴ間の共存問題によって引き起こされた誤りを含まない。一例において、パケット誤り率は、ダウンリンク・サブフレームの復号を試みたＵＥの数から計算される。ＵＥはまた、所与の期間における正確な誤りの数をもフィードバックしうる。
【００７４】
ｅＮＢがＵＥフィードバックから抽出しうる情報の例が、以下に記載されている。一例において、ｅＮＢは、ＵＥから受信されたＮＡＣＫの総数のカウントを受信する。この値は、実際のＮＡＣＫと、共存管理による拒否の結果生じたＮＡＣＫとを含みうる。特に、受信されたＮＡＣＫの総数を表す値は、ダウンリンク・パケット誤りによる実際のＮＡＣＫ、あるいは、ダウンリンク拒否およびＡＣＫを伝送するＰＵＣＣＨの拒否によるＮＡＣＫを考慮しうる。
【００７５】
ｅＮＢは、ＤＴＸ（不連続送信）検出機能を有するのであれば、実際に送信されたＮＡＣＫと、拒否によって推論されるＮＡＣＫとを区別しうる。ｅＮＢにおいてＤＴＸ検出が実施されない場合、ｅＮＢは、実際のＮＡＣＫと、推論されたＮＡＣＫとを区別するために、ＵＥフィードバックを利用しうる。例えば、ｅＮＢは、ダウンリンク割当に関するパケット誤り率でのＵＥからのダウンリンク・チャネル誤りに対応するＮＡＣＫを認識するだろう。ｅＮＢはその後、共存によるＮＡＣＫを特徴付けることができる。一例では、ダウンリンク・チャネルに対応するＮＡＣＫのみが、ダウンリンク・レート・ループを制御する。ｅＮＢは、この情報を用いて、レート・ループを制御する。そして、共存によるデータ喪失とダウンリンク・チャネルとを組み合わせたレートに一致させるのではなく、実際のＵＥダウンリンク・チャネルに一致するレートを目標とする。
【００７６】
１つの例において、ｅＮＢにおいて測定されたダウンリンク・サブフレーム誤りの総数は、ｅｅＮＢ（ＤＬ）によって表され、以下のように計算される。  
ｅｅＮＢ（ＤＬ）＝ｅＣｈａｎｎｅｌ＋ｅＤＬ＿ｓｕｂｆｒａｍｅ＿ｄｅｎｉａｌ＋ｅＰＵＣＣＨ＿ＡＣＫ＿Ｄｅｎｉａｌ 
ここで、ｅＣｈａｎｎｅｌは、チャネル誤りによる誤り；  
ｅＤＬ＿ｓｕｂｆｒａｍｅ＿ｄｅｎｉａｌは、ダウンリンク・サブフレームを拒否することによる誤り；  
ｅＰＵＣＣＨ＿ＡＣＫ＿Ｄｅｎｉａｌは、ＰＵＣＣＨを拒否することによる誤りである。
【００７７】
ＵＥは、ＵＥが実際に復号を試みたダウンリンク・サブフレームの数からｅＣｈａｎｎｅｌを計算しうる。ＵＥはｅＮＢにこの量を送信しうる。これによって、ｅＮＢは、チャネル誤りと、ＲＡＴ衝突による誤り（例えば、送信を拒否することによる誤り）とを区別できるようになる。ダウンリンク・チャネル誤り率はまた、ｅＮＢがＵＥから受信するＰＵＣＣＨ（物理アップリンク制御チャネル）拒否率およびダウンリンク拒否率を利用することによって推論されうる。しかしながら、ある場合には、ダウンリンク拒否率は、実際のダウンリンク割当の拒否よりも高くなりうる。なぜなら、ＵＥは、以前のダウンリンク割当を知らない、すなわち、ＵＥは、ＵＥへ割当を伝送しないダウンリンク・サブフレームを拒否しうるからである。
【００７８】
（アップリンク・レート・ループを制御するためのｅＮＢへのＵＥフィードバック）  
ＵＥは、アップリンク・レート・ループの制御の際に使用するために、共存メッセージで、ｅＮＢへさまざまな情報をフィードバックしうる。フィードバック・コンテンツの例は以下のように記載される。
【００７９】
ＵＥは、ＩＳＭラジオ（ＷＬＡＮまたはブルートゥース）を保護するために、ＰＵＳＣＨ（物理アップリンク共有チャネル）の拒否率をフィードバックしうる。さらに、ＵＥはまた、各送信番号に関するＰＵＳＣＨの拒否率をもフィードバックしうる。
【００８０】
ＵＥはさらに、アップリンク送信のパケット誤り率をもフィードバックしうる。一例では、ＵＥは、ＰＨＩＣＨ（物理ＨＡＲＱ（ハイブリッド自動反復要求）インジケータ・チャネル）で受信したアップリンク送信について、このメトリックを、ＡＣＫ／ＮＡＣＫに基づいて計算する。一例では、このメトリックは、ＵＥによって受信され共存管理によって拒否されていないＰＨＩＣＨのために計算される。ＡＣＫ／ＮＡＣＫをＵＥへ伝送するＰＨＩＣＨが保護されている場合、この推定は正確である。ＵＥはまた、所与の期間のための正確な誤りの数をフィードバックしうる。
【００８１】
ＵＥが、ＵＥへのアップリンクＡＣＫ／ＮＡＣＫを伝送するＰＨＩＣＨを用いたサブフレームを拒否する場合、ＵＥは、ＰＨＩＣＨの拒否率をフィードバックしうる。
【００８２】
ｅＮＢがＵＥフィードバックから抽出しうる情報の例が記載される。一例では、ｅノードＢは、ＰＵＳＣＨが不正確に復号されたか否か、およびその特定の理由は何であるかを判定しうる。ＰＵＳＣＨが不正確に復号されうる１つの理由は、このチャネルが、ＰＵＳＣＨに誤りを引き起こしたからである。ＵＥがＰＵＳＣＨを送信した場合、ＵＥは、ＡＣＫ／ＮＡＣＫを期待しているＰＨＩＣＨを保護する。ＰＨＩＣＨにおけるＮＡＣＫは、ＵＥに対して、各アップリンク送信の実際のチャネル誤りを示す。ＵＥが、許可を持っているが拒否したことを知っている場合、あるいは、ＰＤＣＣＨ（物理ダウンリンク制御チャネル）を用いたダウンリンク・サブフレームを拒否したために、許可を持っていることを知らない場合、ｅＮＢは、ＰＵＳＣＨが誤っていると認識しうる。ｅＮＢがＤＴＸ検出を有し、ＵＥが受信したＳＩＮＲ（信号対干渉および雑音比）が比較的高い場合、ｅＮＢは、ＰＵＳＣＨ送信誤りであるかＰＵＳＣＨ拒否であるかを区別しうる。しかしながら、ＤＴＸ検出が正確でないか実施されない場合、ｅＮＢは、アップリンク・レー制御ループにおける前述した誤りの原因のすべてを考慮しうる。
【００８３】
共存によるレート・ループ不安定を回避するために、ＵＥフィードバックが以下のように利用されうる。ｅＮＢが、ＰＨＩＣＨから計算される各送信のＰＵＳＣＨパケット誤り率に関するＵＥフィードバックから、チャネルによる実際の誤り率を決定しうる。ｅＮＢは、その後、チャネル誤りと共存管理とが結合されたインパクトではないチャネル容量を目標として、アップリンク・レート・ループを調節しうる。
【００８４】
ＵＥが、ＡＣＫ／ＮＡＣＫをＵＥへ伝送するＰＨＩＣＨを用いたダウンリンク・サブフレームのうちのいくつかを拒否した場合、ｅＮＢは、実際のチャネル誤り率における上限を見つけるために、ＡＣＫ／ＮＡＣＫをＵＥへ伝送する各送信番号について、ＰＨＩＣＨとの拒否率に関し、ＵＥからのフィードバックを利用しうる。例えば、ｅＮＢは、実際の誤り率が、ＵＥからレポートされたＰＵＳＣＨパケット誤り率に、ＰＨＩＣＨ拒否率のパーセンテージを加えたものであると推定しうる。一例では、上限は、このパーセンテージが１００％であると仮定されることにより計算されうる。
【００８５】
アップリンクで見られるｅＮＢ誤りは、ｅｅＮＢ（ＵＬ）によって表され、以下の式によって特徴付けられうる。  
ｅｅＮＢ（ＵＬ）＝ｅＣｈａｎｎｅｌ＋ｅＰＵＳＣＨ＿ｓｕｂｆｒａｍｅ＿ｄｅｎｉａｌ＋ｅＰＨＩＣＨ＿ＮＡＣＫ＿Ｄｅｎｉａｌ＋ｅＰＤＣＣＨ＿ＵＬＧｒａｎｔ＿Ｄｅｎｉａｌ 
ここで、ｅＣｈａｎｎｅｌは、チャネル誤りによる誤り；  
ｅＰＵＳＣＨ＿ｓｕｂｆｒａｍｅ＿ｄｅｎｉａｌは、ＰＵＳＣＨを拒否することによる誤り；  
ｅＰＨＩＣＨ＿ＮＡＣＫ＿Ｄｅｎｉａｌは、ＮＡＣＫを伝送するＰＨＩＣＨを拒否することによる誤り；  
ｅＰＤＣＣＨ＿ＵＬＧｒａｎｔ＿Ｄｅｎｉａｌは、アップリンクを伝送するＰＤＣＣＨを拒否することによる誤りである。
【００８６】
一例において、ＵＥは、チャネル誤りによる誤り（ｅＣｈａｎｎｅｌ）とＰＵＳＣＨを拒否することによる誤り（ｅＰＵＳＣＨ＿ｓｕｂｆｒａｍｅ＿ｄｅｎｉａｌ）との値を知っており、上記式の第３項および第４項（すなわち、ｅＰＨＩＣＨ＿ＮＡＣＫ＿ＤｅｎｉａｌおよびｅＰＤＣＣＨ＿ＵＬＧｒａｎｔ＿Ｄｅｎｉａｌ）の統計情報を有している。第３項および第４項によって取得されたチャネル条件に、アップリンク制御ループが適応されうる。ＵＥは、拒否したＰＨＩＣＨがＡＣＫを伝送するか、またはＮＡＣＫを伝送するのか知らないので、実際のチャネル誤りの推定値は、以下のように取得されうる。  
ｅＣｈａｎｎｅｌ＋ｅＰＨＩＣＨ＿Ｄｅｎｉａｌ 
ここで、ｅＣｈａｎｎｅｌ＋ｅＰＨＩＣＨ＿Ｄｅｎｉａｌは、拒否されたすべてのＰＨＩＣＨがＮＡＣＫを伝送したと仮定した上限を表す。一例では、ＰＨＩＣＨ拒否が低減または最小化される場合、上限は、実際のチャネル誤り率に近くなりうる。
【００８７】
さらに、ｅＣｈａｎｎｅｌ＋α・ｅＰＨＩＣＨ＿Ｄｅｎｉａｌが使用されうる。ここでは、実際に拒否されたＰＨＩＣＨのフラクション（α）のみがＮＡＣＫとしてカウントされる。このフラクション（α）は、ＮＡＣＫを伝送するＵＥによって受信されたＰＨＩＣＨのパーセンテージから推定されうる。
【００８８】
オプションとして、別の例のアプローチでは、ＵＥは、許可されたＰＨＩＣＨチャネルを用いて第２項を推定する。上記のすべてにおいて、ＵＥは、所与の期間における各誤りタイプについて、正確な誤りの数をフィードバックしうる。
【００８９】
拒否率フィードバックの前述した記載は、接続モードにおけるアクティブなＩＳＭ受信および／または送信に関連していたが、本開示は、ＩＭＳ接続セットアップにも適用可能である。この場合、拒否率フィードバックは、ＩＳＭ通信のための接続セットアップを伴うＬＴＥレート制御ループを容易にする。いくつかのＬＴＥアップリンク・サブフレームは、高い優先度のＩＳＭ受信を保護するために拒否されうる。例として、ブルートゥース問い合わせ手順中に、ブルートゥース・マスタが、遠隔のブルートゥース・スレーブ・デバイスからの拡張問い合わせ応答（ＥＩＲ：Extended Inquiry Response）パケットの受信を保護することを望みうる。したがって、ＥＩＲ受信とオーバラップするＬＴＥにおけるいずれのＰＵＣＣＨ送信またはＰＵＳＣＨ送信も拒否されうる。同様に、ブルートゥース・ページング手順中に、ブルートゥース・マスタが、ＬＴＥアップリンク送信の拒否に至りうるブルートゥース・スレーブ・ページ応答の受信を保護することを望みうる。１つの態様では、ＵＥは、ＬＴＥアップリンク・レート制御ループに対するインパクトを緩和するために、ＰＵＳＣＨ拒否（ｅＰＵＳＣＨ＿ｓｕｂｆｒａｍｅ＿ｄｅｎｉａｌ）をレポートすることによって、前述した説明を適用しうる。その他のＬＴＥダウンリンク拒否がない場合、ｅＮＢは、ｅＮＢにおいて観察された実際の誤り率（ｅｅＮＢ（ＵＬ））からＰＵＳＣＨ拒否率を引き去ることによって、チャネル誤り率を決定しうる。このチャネル誤り率は、その後、ＬＴＥアップリンク・レート制御ループのために使用されうる。別の態様では、ＬＴＥダウンリンク・レート制御ループに対するインパクトを緩和するために、例えばｅＰＵＣＣＨ＿ＡＣＫ＿ＤｅｎｉａｌのようなＰＵＣＣＨ拒否率をレポートすることによって、前述した技術を適用しうる。ｅＮＢは、その後、チャネル誤り率を決定するために、（その他のＬＴＥダウンリンク拒否を仮定することなく、）測定されたダウンリンク誤り率ｅｅＮＢ（ＤＬ）からこれを差し引く。一般に、接続セットアップ手順が、ＬＴＥダウンリンク拒否とＬＴＥアップリンク拒否との両方になる場合、接続モードについて前述したものと同様のフィードバックが使用されうる。別の態様では、ＬＴＥアップリンクまたはＬＴＥダウンリンクのための最大拒否率がＵＥによって指定され、これによって、ｅＮＢは、ＵＥが最大数の拒否を実行していると仮定し、ｅＮＢのレート制御ループにおけるこのような拒否を考慮できるようになりうる。この最大拒否率はまた、ｅＮＢによっても示されうる。これによって、ＵＥがこの拒否率を超えないことが保証される。
【００９０】
図１１は、無線通信システムにおいて、制御レート・ループを管理する方法１１００のフローチャートである。ブロック１１０２において、ＵＥは、第２のラジオ・アクセス（ＲＡＴ）技術の通信を可能にするために、第１のラジオ・アクセス技術（ＲＡＴ）のフレームを拒否する。次に、ブロック１１０４において、ＵＥは、第１のラジオ・アクセス技術のレート・ループを調節することを容易にするために、拒否に関する情報をｅＮＢへレポートする。
【００９１】
図１２は、無線通信システムにおいて、制御レート・ループを管理するためのシステム１２１４を適用する装置１２００のハードウェア実装の例を例示する図解である。このシステム１２１４は、一般にバス１２２４によって表されるバス・アーキテクチャを用いて実現されうる。バス１２２４は、全体的な設計制約およびシステム１２１４の特定のアプリケーションに依存して、任意の数の相互接続バスおよびブリッジを含みうる。バス１２２４は、プロセッサ１２２６、拒否モジュール１２０２、レポート・モジュール１２０４、およびコンピュータ読取可能な媒体１２２８によって表される１または複数のプロセッサおよび／またはハードウェア・モジュールを含むさまざまな回路をともにリンクする。バス１２２４はさらに、例えば、タイミング・ソース、周辺機器、電圧制御装置、および電力管理回路のようなその他さまざまな回路を接続しうる。これらは、当該技術分野で良く知られているので、さらなる説明はしない。
【００９２】
装置は、トランシーバ１２２２に結合されたシステム１２１４を含む。トランシーバ１２２２は、１または複数のアンテナ１２２０に接続されうる。トランシーバ１２２２は、送信媒体を介してその他さまざまな装置と通信するための手段を提供する。処理システム１２１４は、コンピュータ読取可能な媒体１２２８に接続されたプロセッサ１２２６を含む。プロセッサ１２２６は、コンピュータ読取可能な媒体１２２８に格納されたソフトウェアの実行を含む一般的な処理を担当する。ソフトウェアは、プロセッサ１２２６によって実行された場合、処理システム１２１４に対して、任意の特定の装置のために、前述されたさまざまな機能を実行させる。コンピュータ読取可能な媒体１２２８はまた、ソフトウェアが実行されている場合に、プロセッサ１２２６によって操作されるデータを格納するためにも使用されうる。システム１２１４はさらに、第２のＲＡＴの通信を可能にするために、第１のＲＡＴの時間リソースおよび／または周波数リソースを拒否する拒否モジュール１２０２と、拒否に関する情報をレポートするレポート・モジュール１２０４とを含む。拒否モジュール１２０２およびレポート・モジュール１２０４は、コンピュータ読取可能な媒体１２２８に常駐／格納され、プロセッサ１２２６において動作するソフトウェア・モジュール、プロセッサ１２２６に接続された１または複数のハードウェア・モジュール、またはこれらのいくつかの組み合わせでありうる。システム１２１４は、ＵＥ２５０の構成要素であることができ、メモリ２７２および／またはプロセッサ２７０を含みうる。
【００９３】
１つの構成では、無線通信のための装置１００は、拒否する手段を含む。この手段は、拒否モジュール１２０２であるか、および／または、拒否する手段によって記述された機能を実行するように構成された装置１２００のシステム１２１４でありうる。さらに、別の態様では、拒否する手段は、拒否する手段によって記述された機能を実行するように構成された共存マネジャ６４０でありうる。別の態様では、前述された手段は、前述された手段によって記載された機能を実行するように構成された任意のモジュールまたは任意の装置でありうる。無線通信のための装置１２００はまた、レポートする手段も含んでいる。この手段は、レポートするモジュール１２０４、および／または、レポートする手段によって記述された機能を実行するように構成された装置１２００のシステム１２１４でありうる。さらに、別の態様では、レポートする手段は、レポートする手段によって記述された機能を実行するように構成された共存マネジャ６４０でありうる。別の態様では、前述された手段は、前述された手段によって記載された機能を実行するように構成された任意のモジュールまたは任意の装置でありうる。
【００９４】
前述した例は、ＬＴＥシステムで実現されうる態様を記載している。しかしながら、本開示の範囲はそのように限定されない。さまざまな態様は、限定される訳ではないが、ＣＤＭＡシステム、ＴＤＭＡシステム、ＦＤＭＡシステム、およびＯＦＤＭＡシステムを含む任意のさまざまな通信プロトコルを適用するもののような、その他の通信システムとの使用のために適応されうる。
【００９５】
開示された処理におけるステップの具体的な順序または階層は、典型的なアプローチの例であることが理解される。設計選択に基づいて、これら処理におけるステップの具体的な順序または階層は、本開示のスコープ内であることを保ちながら、再構成されうることが理解される。同伴する方法請求項は、さまざまなステップの要素を、サンプル順で示しており、示された具体的な順序または階層に限定されないことが意味される。
【００９６】
当業者であれば、情報および信号は、さまざまな異なる技術および技法のうちの何れかを用いて表されうることを理解するであろう。例えば、前述した説明を通じて参照されうるデータ、命令群、コマンド、情報、信号、ビット、シンボル、およびチップは、電圧、電流、電磁波、磁場または磁性粒子、光学場または光学粒子、あるいはこれらの任意の組み合わせによって表現されうる。
【００９７】
当業者であればさらに、本明細書で開示された態様に関連して記載された例示的なさまざまな論理ブロック、モジュール、回路、およびアルゴリズム・ステップは、電子的なハードウェア、コンピュータ・ソフトウェア、あるいはこれら両方の組み合わせとして実現されることを認識するであろう。ハードウェアとソフトウェアとの相互置換性を明確に説明するために、さまざまな例示的な構成要素、ブロック、モジュール、回路、およびステップが、これらの機能の観点から一般的に記載された。これら機能がハードウェアとしてまたはソフトウェアとして実現されるかは、特定の用途およびシステム全体に課せられている設計制約に依存する。当業者であれば、特定の用途のおのおのに応じて変化する方式で、前述した機能を実現しうる。しかしながら、この適用判断は、本発明の範囲からの逸脱をもたらすものと解釈されるべきではない。
【００９８】
本明細書で開示された態様に関連して記述されたさまざまな例示的な論理ブロック、モジュール、および回路は、汎用プロセッサ、デジタル信号プロセッサ（ＤＳＰ）、特定用途向け集積回路（ＡＳＩＣ）、フィールド・プログラマブル・ゲート・アレイ（ＦＰＧＡ）あるいはその他のプログラマブル論理デバイス、ディスクリート・ゲートあるいはトランジスタ・ロジック、ディスクリート・ハードウェア構成要素、または上述された機能を実現するために設計された上記何れかの組み合わせを用いて実現または実施されうる。汎用プロセッサは、マイクロ・プロセッサでありうるが、代わりに、従来技術によるプロセッサ、コントローラ、マイクロコントローラ、またはステート・マシンでありうる。プロセッサは、例えばＤＳＰとマイクロ・プロセッサとの組み合わせ、複数のマイクロ・プロセッサ、ＤＳＰコアと連携する１または複数のマイクロ・プロセッサ、またはその他任意のこのような構成であるコンピューティング・デバイスの組み合わせとして実現されうる。
【００９９】
本明細書で開示された態様に関連して記述された方法やアルゴリズムのステップは、ハードウェアによって直接的に、プロセッサによって実行されるソフトウェア・モジュールによって、または、これらの組み合わせによって具体化される。ソフトウェア・モジュールは、ＲＡＭメモリ、フラッシュ・メモリ、ＲＯＭメモリ、ＥＰＲＯＭメモリ、ＥＥＰＲＯＭ（登録商標）メモリ、レジスタ、ハード・ディスク、リムーバブル・ディスク、ＣＤ−ＲＯＭ、あるいは当該技術分野で知られているその他の型式の記憶媒体に存在しうる。典型的な記憶媒体は、この記憶媒体から情報を読み取ったり、この記憶媒体に情報を書き込むことができるプロセッサのようなプロセッサに接続される。あるいは、この記憶媒体は、プロセッサに統合されうる。このプロセッサと記憶媒体とは、ＡＳＩＣ内に存在しうる。ＡＳＩＣは、ユーザ端末内に存在しうる。あるいは、プロセッサおよび記憶媒体は、ユーザ端末内のディスクリートな構成要素として存在しうる。
【０１００】
開示された態様の上記説明は、いかなる当業者であっても、本開示を製造または使用できるように適用される。これらの態様へのさまざまな変形は、当業者に容易に明らかであって、本明細書で定義された一般原理は、本開示の精神または範囲から逸脱することなく、他の態様に適用されうる。このように、本開示は、本明細書で示された態様に限定されるものではなく、本明細書で開示された原理および新規な特徴と一致した最も広い範囲に相当することが意図されている。
【図１】
2015216662.tif 000003
【図２】
2015216662.tif 000004
【図３】
2015216662.tif 000005
【図４】
2015216662.tif 000006
【図５】
2015216662.tif 000007
【図６】
2015216662.tif 000008
【図７】
2015216662.tif 000009
【図８】
2015216662.tif 000010
【図９】
2015216662.tif 000011
【図１０】
2015216662.tif 000012
【図１１】
2015216662.tif 000013
【図１２】
2015216662.tif 000014
【手続補正書】
【提出日】平成27年7月22日(2015.7.22)
【手続補正１】
【補正対象書類名】特許請求の範囲
【補正対象項目名】全文
【補正方法】変更
【補正の内容】
【特許請求の範囲】
【請求項１】
無線通信の方法であって、
第２のラジオ・アクセス技術（ＲＡＴ）の通信を可能にするために、第１のＲＡＴの複数の時間リソースまたは周波数リソースを拒否することと、
前記第１のＲＡＴおよび前記第２のＲＡＴのうちの１つにおける接続セットアップを容易にするために、前記拒否に関する情報をレポートすることと、
を備える方法。
【手続補正２】
【補正対象書類名】明細書
【補正対象項目名】０１００
【補正方法】変更
【補正の内容】
【０１００】
開示された態様の上記説明は、いかなる当業者であっても、本開示を製造または使用できるように適用される。これらの態様へのさまざまな変形は、当業者に容易に明らかであって、本明細書で定義された一般原理は、本開示の精神または範囲から逸脱することなく、他の態様に適用されうる。このように、本開示は、本明細書で示された態様に限定されるものではなく、本明細書で開示された原理および新規な特徴と一致した最も広い範囲に相当することが意図されている。
以下に、本願出願の当初の特許請求の範囲に記載された発明を付記する。
［１］  無線通信の方法であって、
第２のラジオ・アクセス技術（ＲＡＴ）の通信を可能にするために、第１のＲＡＴの複数の時間リソースまたは周波数リソースを拒否することと、
前記第１のＲＡＴおよび前記第２のＲＡＴのうちの１つにおける接続セットアップを容易にするために、前記拒否に関する情報をレポートすることと、
を備える方法。
［２］  前記情報は、前記第２のＲＡＴとの共存による拒否率と、前記第２のＲＡＴとの共存による、各ダウンリンク送信番号に関するダウンリンク・アクノレッジメント（ＡＣＫ）を伝送するアップリンク制御チャネルの拒否率と、前記第１のＲＡＴの通信チャンネルによる、各ダウンリンク送信番号に関するダウンリンク割当のパケット誤り率とのうちの少なくとも１つを備える、［１］に記載の方法。
［３］  前記情報は、前記第２のＲＡＴとの共存によるアップリンク・データ・チャネルの拒否率と、前記第２のＲＡＴとの共存による、各アップリンク送信番号に関するアップリンク・データ・チャネルの拒否率と、前記第１のＲＡＴの通信チャンネルによる、アップリンク割当のパケット誤り率とのうちの少なくとも１つを備える、［１］に記載の方法。
［４］  すべてのＰＨＩＣＨ（物理ＨＡＲＱ（ハイブリッド自動反復要求）インジケータ・チャネル）拒否に基づいて、パケット誤り率を計算すること、をさらに備える［１］に記載の方法。
［５］  実際にＮＡＣＫ（否定的なアクノレッジメント）を伝送しているＰＨＩＣＨ（物理ＨＡＲＱ（ハイブリッド自動反復要求）インジケータ・チャネル）のパーセンテージに対応するＰＨＩＣＨのフラクションに基づいて、パケット誤り率を計算すること、をさらに備える［１］に記載の方法。
［６］  拒否される通信の数は、拒否しきい値以下である［１］に記載の方法。
［７］  前記拒否しきい値を基地局から受信すること、をさらに備える［６］に記載の方法。
［８］  無線通信のための装置であって、
メモリと、
前記メモリに接続された少なくとも１つのプロセッサとを備え、
前記少なくとも１つのプロセッサは、
第２のラジオ・アクセス技術（ＲＡＴ）の通信を可能にするために、第１のＲＡＴの複数の時間リソースまたは周波数リソースを拒否し、
前記第１のＲＡＴおよび前記第２のＲＡＴのうちの１つにおける接続セットアップを容易にするために、前記拒否に関する情報をレポートする
ように構成された、装置。
［９］  前記情報は、前記第２のＲＡＴとの共存による拒否率と、前記第２のＲＡＴとの共存による、各ダウンリンク送信番号に関するダウンリンク・アクノレッジメント（ＡＣＫ）を伝送するアップリンク制御チャネルの拒否率と、前記第１のＲＡＴの通信チャンネルによる、各ダウンリンク送信番号に関するダウンリンク割当のパケット誤り率とのうちの少なくとも１つを備える、［８］に記載の装置。
［１０］  前記情報は、前記第２のＲＡＴとの共存によるアップリンク・データ・チャネルの拒否率と、前記第２のＲＡＴとの共存による、各アップリンク送信番号に関するアップリンク・データ・チャネルの拒否率と、前記第１のＲＡＴの通信チャンネルによる、アップリンク割当のパケット誤り率とのうちの少なくとも１つを備える、［８］に記載の装置。
［１１］  前記プロセッサはさらに、すべてのＰＨＩＣＨ（物理ＨＡＲＱ（ハイブリッド自動反復要求）インジケータ・チャネル）拒否に基づいて、パケット誤り率を計算するように構成された、［８］に記載の装置。
［１２］  前記プロセッサはさらに、実際にＮＡＣＫ（否定的なアクノレッジメント）を伝送しているＰＨＩＣＨ（物理ＨＡＲＱ（ハイブリッド自動反復要求）インジケータ・チャネル）のパーセンテージに対応するＰＨＩＣＨのフラクションに基づいて、パケット誤り率を計算するように構成された、［８］に記載の装置。
［１３］  拒否される通信の数は、拒否しきい値以下である、［８］に記載の装置。
［１４］  前記プロセッサはさらに、前記拒否しきい値を基地局から受信するように構成された、［１３］に記載の装置。
［１５］  無線通信のための装置であって、
第２のラジオ・アクセス技術（ＲＡＴ）の通信を可能にするために、第１のＲＡＴの複数の時間リソースまたは周波数リソースを拒否する手段と、
前記第１のＲＡＴおよび前記第２のＲＡＴのうちの１つにおける接続セットアップを容易にするために、前記拒否に関する情報をレポートする手段と、
を備える装置。
［１６］  前記情報は、前記第２のＲＡＴとの共存による拒否率と、前記第２のＲＡＴとの共存による、各ダウンリンク送信番号に関するダウンリンク・アクノレッジメント（ＡＣＫ）を伝送するアップリンク制御チャネルの拒否率と、前記第１のＲＡＴの通信チャンネルによる、各ダウンリンク送信番号に関するダウンリンク割当のパケット誤り率とのうちの少なくとも１つを備える、［１５］に記載の装置。
［１７］  前記情報は、前記第２のＲＡＴとの共存によるアップリンク・データ・チャネルの拒否率と、前記第２のＲＡＴとの共存による、各アップリンク送信番号に関するアップリンク・データ・チャネルの拒否率と、前記第１のＲＡＴの通信チャンネルによる、アップリンク割当のパケット誤り率とのうちの少なくとも１つを備える、［１５］に記載の装置。
［１８］  無線ネットワークにおける無線通信のためのコンピュータ・プログラム製品であって、
記録された非一時的なプログラム・コードを有するコンピュータ読取可能な媒体を備え、前記プログラム・コードは、
第２のラジオ・アクセス技術（ＲＡＴ）の通信を可能にするために、第１のＲＡＴの複数の時間リソースまたは周波数リソースを拒否するためのプログラム・コードと、
前記第１のＲＡＴおよび前記第２のＲＡＴのうちの１つにおける接続セットアップを容易にするために、前記拒否に関する情報をレポートするためのプログラム・コードと
を備える、コンピュータ・プログラム製品。
［１９］  前記情報は、前記第２のＲＡＴとの共存による拒否率と、前記第２のＲＡＴとの共存による、各ダウンリンク送信番号に関するダウンリンク・アクノレッジメント（ＡＣＫ）を伝送するアップリンク制御チャネルの拒否率と、前記第１のＲＡＴの通信チャンネルによる、各ダウンリンク送信番号に関するダウンリンク割当のパケット誤り率とのうちの少なくとも１つを備える、［１８］に記載のコンピュータ・プログラム製品。
［２０］  前記情報は、前記第２のＲＡＴとの共存によるアップリンク・データ・チャネルの拒否率と、前記第２のＲＡＴとの共存による、各アップリンク送信番号に関するアップリンク・データ・チャネルの拒否率と、前記第１のＲＡＴの通信チャンネルによる、アップリンク割当のパケット誤り率とのうちの少なくとも１つを備える、［１８］に記載のコンピュータ・プログラム製品。
【外国語明細書】
2015216662000001.pdf